(57)【要約】【課題】  ダクトジョイントを取り付ける際のシール部材の剥がれを防止可能な浴室空調装置を提供する。【解決手段】浴室空調装置１Ａは、装置本体２Ａとダクトジョイント３Ａ，３Ｂが独立した形態である。装置本体２Ａを構成する本体ケース５Ａは、ダクトジョイント３Ａと接続される排気口６が形成された排気口形成面７Ａと、ダクトジョイント３Ｂと接続される副吸込口８が形成された副吸込口形成面９Ａが、先側が内側に入り込む方向に傾斜している。これにより、ダクトジョイント３Ａ，３Ｂに装置本体２Ａを取り付ける際に、本体ケース５Ａのエッジ部分がシール部材１３ａ，１３ｂを擦ることを防止して、シール部材１３ａ，１３ｂの剥がれを防止する。【選択図】        図１
2007040549.tif 000002
【特許請求の範囲】
【請求項１】
本体ケースの少なくとも一の側面に空気の通風口が形成された装置本体と、
空気が通るダクトが取り付けられると共に、前記通風口と接合される接合部が形成されたダクト取付部材を有し、前記装置本体が前記接合部に対して沿った方向に挿入されて、前記ダクト取付部材と前記通風口が連通した取付枠体と、
前記ダクト取付部材の前記接合部か前記装置本体の前記通風口のどちらか一方に取り付けられ、前記接合部と前記通風口との間を封止するシール部材を備え、
前記本体ケースの前記通風口が形成される通風口形成面と前記ダクト取付部材の前記接合部の少なくとも一方は、前記装置本体の前記接合部に対する挿入方向に対して、先側を内側に入り込む方向に傾斜させた
ことを特徴とする浴室空調装置。
【請求項２】
前記シール部材は、前記装置本体の前記接合部に対する挿入方向に対して、先側と後側で厚さを異ならせて、前記通風口形成面もしくは前記接合部の傾斜に沿わせた
ことを特徴とする請求項１記載の浴室空調装置。
【請求項３】
前記本体ケースは、前記通風口形成面を含む４側面を、先側が内側に入り込む方向に傾斜させた
ことを特徴とする請求項１または２記載の浴室空調装置。
【請求項４】
前記ダクト取付部材は、前記取付枠体に対して着脱できる構成とした
ことを特徴とする請求項１，２または３記載の浴室空調装置。
【発明の詳細な説明】
【技術分野】
【０００１】
本発明は、浴室等の天井に設置され、空気が通るダクトが接続される浴室空調装置に関する。詳しくは、ダクトが接続されるダクト取付部材と装置本体との接合部分に傾斜を付けることで、シール部材の損傷を防いでダクト取付部材と装置本体との接合を確実に行えるようにしたものである。
【背景技術】
【０００２】
従来より、浴室の空調を行う浴室空調装置が提供されている。浴室空調装置は、浴室の天井パネルに形成した開口部から天井パネルに挿入され、浴室からの空気の吸込グリル及び浴室への空気の吹出グリルが形成されたフロントパネルを露出させた形態で、天井パネル上に設置される。
【０００３】
また、浴室空調装置は、吸い込んだ空気を屋外へ排気するためのダクトや、洗面所等の他のサニタリー空間からの空気を取り込むためのダクトが接続される構成となっており、浴室空調装置は、本体のケースの側面にダクトが接続される排気口や副吸込口が形成されている。
【０００４】
さて、浴室空調装置を設置するために浴室の天井パネルに形成される開口部は、浴室空調装置の本体ケースの大きさに合わせたサイズである。これに対して、浴室空調装置にダクトを接続するためのダクトジョイントは、浴室空調装置の本体ケースから側方に突出した形態である。
【０００５】
このため、浴室空調装置の本体ケースにダクトジョイントを一体的に取り付けた構成とすると、浴室空調装置の設置が困難になる。そこで、浴室空調装置の本体ケースとダクトジョイントを別部品とした構成が提案されている（例えば、特許文献１参照）。
【０００６】
浴室空調装置とダクトジョイントを別部品とした構成では、ダクトジョイントを備えた取付枠が、浴室の天井パネルに形成した開口部の位置に合わせて設置され、天井パネルの開口部から取付枠に浴室空調装置の本体が挿入されることで、本体ケースの排気口や副吸込口と、ダクトジョイントが接合される。
【０００７】
【特許文献１】特開２００４―３６９４６号公報
【発明の開示】
【発明が解決しようとする課題】
【０００８】
しかし、従来の浴室空調装置では、ダクトジョイントを備えた取付枠に浴室空調装置の本体を取り付ける際に、ダクトジョイントと本体ケースとの間に備えられるシール部材が損傷する可能性があるという問題があった。
【０００９】
すなわち、浴室空調装置の本体ケースあるいはダクトジョイントには、排気口や副吸込口とダクトジョイントとの接合部を封止するシール部材が備えられているが、ダクトジョイントを備えた取付枠に浴室空調装置の本体を取り付ける際に、シール部材の端面とダクトジョイントあるいはシール部材の端面と本体ケースが擦れ、シール部材が剥がれることがあった。
【００１０】
そして、シール部材が剥がれると、排気口や副吸込口とダクトジョイントとの接合部で空気の漏れが発生し、浴室空調装置が所期の性能を発揮できなくなるという問題があった。
【００１１】
本発明は、このような課題を解決するためになされたもので、ダクトジョイントを取り付ける際に発生するシール部材の損傷を防ぐことが可能な浴室空調装置を提供することを目的とする。
【課題を解決するための手段】
【００１２】
上述した課題を解決するため、本発明に係る浴室空調装置は、本体ケースの少なくとも一の側面に空気の通風口が形成された装置本体と、空気が通るダクトが取り付けられると共に、通風口と接合される接合部が形成されたダクト取付部材を有し、装置本体が接合部に対して沿った方向に挿入されて、ダクト取付部材と通風口が連通した取付枠体と、ダクト取付部材の接合部か装置本体の通風口のどちらか一方に取り付けられ、接合部と通風口との間を封止するシール部材を備え、本体ケースの通風口が形成される通風口形成面とダクト取付部材の接合部の少なくとも一方は、装置本体の接合部に対する挿入方向に対して、先側を内側に入り込む方向に傾斜させたことを特徴とする。
【００１３】
本発明に係る浴室空調装置では、装置本体の大きさに合わせて浴室の天井パネルに開口部が形成され、天井パネルの開口部の位置に合わせて取付枠体が設置される。
【００１４】
そして、天井パネルの開口部から取付枠体に装置本体が挿入されることで、本体ケースの通風口とダクト取付部材が接合される。
【００１５】
さて、本体ケースの通風口が形成される通風口形成面とダクト取付部材の接合部の少なくとも一方は、装置本体の接合部に対する挿入方向に対して、先側が内側に入り込む方向に傾斜している。
【００１６】
これにより、取付枠体に装置本体を挿入する初期段階では、シール部材とダクト取付部材、あるいは、シール部材と本体ケースとの間に隙間が形成され、シール部材の端面とダクト取付部材の擦れあるいはシール部材の端面と本体ケースの擦れが抑制される。また、取付枠体に装置本体を挿入する過程で、シール部材とダクト取付部材あるいは本体ケースが擦れる距離が少なくなる。
【発明の効果】
【００１７】
本発明の浴室空調装置によれば、ダクト取付部材を備えた取付枠体に装置本体を挿入して取り付ける際に、シール部材に対するダクト取付部材あるいは本体ケースの擦れが防止されるので、シール部材が剥がれる等の損傷を防ぐことができる。
【００１８】
これにより、ダクト取付部材の接合部と通風口との間にシール部材が正常な状態で挟み込まれ、ダクト取付部材と装置本体との接合を確実に行うことができる。従って、通風口とダクト取付部材の接合部での空気の漏れが発生せず、浴室空調装置は所期の性能を発揮できる。
【発明を実施するための最良の形態】
【００１９】
以下、図面を参照して本発明の浴室空調装置の実施の形態について説明する。
【００２０】
＜第１の実施の形態の浴室空調装置の構成例＞
図１〜図３は第１の実施の形態の浴室空調装置の構成の一例を示し、図１は第１の実施の形態の浴室空調装置１Ａの長手方向の側断面図、図２は浴室空調装置１Ａの短手方向の側断面図、図３は浴室空調装置１Ａの分解斜視図である。
【００２１】
第１の実施の形態の浴室空調装置１Ａは、装置本体２Ａと、ダクトジョイント３Ａ，３Ｂが取り付けられる取付枠体４を備える。
【００２２】
装置本体２Ａは、直方体形状の本体ケース５Ａを備える。本体ケース５Ａは、例えば鉄等の金属で構成され、排気口６が形成された排気口形成面７Ａを備えると共に、副吸込口８が形成された副吸込口形成面９Ａを備える。
【００２３】
排気口６と副吸込口８は通風口の一例で、本体ケース５Ａを貫通して形成される。また、排気口形成面７Ａ及び副吸込口形成面９Ａは通風口形成面の一例で、本例では、本体ケース５Ａの対向する２側面を構成する。
【００２４】
本体ケース５Ａは、排気口形成面７Ａ及び副吸込口形成面９Ａと、残りの２側面が、下側より上側が内側に入り込む方向に傾斜しており、外側面及び内側面が共に上側が窄まるようなテーパ状となっている。なお、本体ケース５Ａの４側面の傾斜角度は、１〜５度の範囲で設定されており、好ましくは２度程度である。
【００２５】
取付枠体４は、例えば本体ケース５Ａの４側面を囲む枠部４ａと、枠部４ａに取り付けられるダクトジョイント３Ａ及びダクトジョイント３Ｂを備える。
【００２６】
図４はダクトジョイント３Ａ，３Ｂの要部構成を示す断面図である。ダクトジョイント３Ａ，３Ｂはダクト取付部材の一例で、ダクトジョイント３Ａは、図１に示す排気口６と接合される接合部１０ａを備え、ダクトジョイント３Ｂは、図１に示す副吸込口８と接合される接合部１０ｂを備える。
【００２７】
また、ダクトジョイント３Ａ，３Ｂは、それぞれ枠部４ａと独立した部品として構成され、ダクトジョイント３Ａは、枠部４ａに対する枠体取付部１１ａと、本体ケース５Ａに対するケース取付部１２ａを備える。同様に、ダクトジョイント３Ｂは、枠部４ａに対する枠体取付部１１ｂと、本体ケース５Ａに対するケース取付部１２ｂを備える。
【００２８】
枠部４ａは、ダクトジョイント３Ａの枠体取付部１１ａが係合される係合穴部４ｂと、ダクトジョイント３Ｂの枠体取付部１１ｂが係合される係合穴部４ｃを備える。
【００２９】
また、装置本体２Ａの本体ケース５Ａは、図１及び図３に示すように、ダクトジョイント３Ａのケース取付部１２ａが係合される係合凹部５ｍと、ダクトジョイント３Ｂのケース取付部１２ｂが係合される係合凹部５ｎを備える。なお、係合凹部５ｍ，５ｎは、本体ケース５Ａを貫通した孔部でも良いし、本体ケース５Ａを貫通していない溝状の凹部でも良い。
【００３０】
ダクトジョイント３Ａは、接合部１０ａにシール部材１３ａを備える。シール部材１３ａは、ダクトジョイント３Ａと接合される排気口６の周囲を囲う形状を有し、取付枠体４に装置本体２Ａが取り付けられると、シール部材１３ａは排気口６の周囲と密着する。
【００３１】
同様に、ダクトジョイント３Ｂは、接合部１０ｂにシール部材１３ｂを備える。シール部材１３ｂは、ダクトジョイント３Ｂと接合される副吸込口８の周囲を囲う形状を有し、取付枠体４に装置本体２Ａが取り付けられると、シール部材１３ｂは副吸込口８の周囲と密着する。
【００３２】
シール部材１３ａ，１３ｂは、図４に示すように、本体ケース５Ａの傾斜に沿って傾斜しており、上側より下側の厚さが薄く構成されている。
【００３３】
なお、本体ケース５Ａの傾斜させる側面は、４側面の全てでなくても良く、例えば、排気口形成面７Ａと副吸込口形成面９Ａの２側面でも良く、また、副吸込口８を備えていない構成では、排気口形成面７Ａだけでも良い。
【００３４】
次に、図１及び図２等を参照して浴室空調装置１Ａの内部構成について説明する。
【００３５】
装置本体２Ａは、換気ユニット１４と循環ユニット１５を備える。換気ユニット１４と循環ユニット１５は、換気ユニット１４が循環ユニット１５の上部に位置するように重なる配置で、本体ケース５Ａの内部に直接取り付けられる。ここで、換気ユニット１４と循環ユニット１５は、本体ケース５Ａに対して独立して着脱自在な構成である。
【００３６】
換気ユニット１４は、回転駆動される換気ファン１６と、換気ファン１６を回転駆動する換気ファンモータ１７と、風路を形成する換気ファンケース１８を備える。
【００３７】
換気ファン１６は、多翼の羽根車で構成され、回転軸が鉛直方向を向いて配置される。換気ファンケース１８は、換気ファン１６の軸方向に沿った上面に換気ファン吸込口１８ａが形成され、換気ファン１６の吹出方向に沿って換気吹出風路１８ｂが形成される。そして、換気吹出風路１８ｂが排気口６と連通するように、換気ユニット１４は本体ケース５Ａに取り付けられる。
【００３８】
装置本体２Ａは、本体ケース５Ａの内部で換気ユニット１４の上部に換気吸込風路１９が形成される。換気吸込風路１９は、換気ファンケース１８の換気ファン吸込口１８ａと連通すると共に、本体ケース５Ａの副吸込口８と連通する。
【００３９】
更に、装置本体２Ａは、室内換気吸込口２０と室内換気吸込風路２１を備える。室内換気吸込口２０は装置本体２Ａの下面に形成され、室内換気吸込風路２１は、室内換気吸込口２０と換気吸込風路１９を連通させる。
【００４０】
また、室内換気吸込口２０はシャッタ２２を備える。シャッタ２２は後述するシャッタモータにより駆動されて軸２２ａを支点に回転して、室内換気吸込口２０を開閉する。
【００４１】
なお、室内換気吸込風路２１は、換気ユニット１４側に形成されていても良いし、循環ユニット１５側に形成されていても良い。更に、室内換気吸込風路２１を分割構造として、換気ユニット１４側と循環ユニット１５側の双方に形成し、換気ユニット１４と循環ユニット１５を本体ケース５Ａに装着すると、室内換気吸込風路２１が構成されるようにしても良い。
【００４２】
循環ユニット１５は、回転駆動される循環ファン２３と、循環ファン２３を回転駆動する循環ファンモータ２４と、風路を形成する循環ファンケース２５を備える。
【００４３】
循環ファン２３は、多翼の羽根車で構成され、回転軸が鉛直方向を向いて配置される。循環ファンケース２５は、循環ファン２３の軸方向に沿った下面に循環ファン吸込口２５ａが形成され、循環ファン２３の吹出方向に沿って循環吹出風路２５ｂが形成される。
【００４４】
また、循環ユニット１５は、循環吹出風路２５ｂにヒータ２６を備える。ヒータ２６は例えばＰＴＣ（Positive Temperature Coefficient）ヒータで構成され、循環吹出風路２５ｂを通る空気を加熱する。更に、循環ユニット１５は、装置本体２Ａの下面に室内循環吹出口２７を備える。室内循環吹出口２７は循環吹出風路２５ｂと連通し、循環ファン２３が回転駆動されることで循環ファン吸込口２５ａから吸い込まれた空気が、循環吹出風路２５ｂと通って室内循環吹出口２７から吹き出す。
【００４５】
装置本体２Ａは、本体ケース５Ａの下面にフロントパネル２８を備える。フロントパネル２８は本体ケース５Ａの下面を覆う形状で、本体ケース５Ａに備えたフランジ部２８Ｆに取り付けられ、室内換気吸込口２０と連通した換気吸込グリル２８ａと、循環ファン吸込口２５ａと連通した循環吸込グリル２８ｂと、室内循環吹出口２７と連通した循環吹出グリル２８ｃを備える。
【００４６】
なお、本例の浴室空調装置１Ａでは、副吸込口８と連通するダクトジョイント３Ｂに風路開閉ダンパ２９を備えても良い。風路開閉ダンパ２９は、後述するダンパモータにより駆動されて軸２９ａを支点に回転して、副吸込口８を開閉する。
【００４７】
＜第１の実施の形態の浴室空調装置の制御機能例＞
図５は浴室空調装置１Ａの制御機能の一例を示すブロック図である。浴室空調装置１Ａは、ＣＰＵ（Central Processing Unit）やメモリ等で構成される制御部３１に、図１等で説明した換気ファン１６を駆動する換気ファンモータ１７と、循環ファン２３を駆動する循環ファンモータ２４と、ヒータ２６と、シャッタ２２を駆動するシャッタモータ３２と、風路開閉ダンパ２９を駆動するダンパモータ３３と、操作部３４等が接続される。
【００４８】
制御部３１は、図示しないメモリ等に格納されたプログラムよって例えば暖房運転モード、換気運転モード、涼風運転モード及び乾燥運転モードを実行する。
【００４９】
これらの運転モードは、入浴者等の利用者が操作部３４を操作すること等により選択され、制御部３１は、選択された運転モードを実行するプログラムに従い換気ファンモータ１７、循環ファンモータ２４、ヒータ２６、シャッタモータ３２及びダンパモータ３３等を制御する。
【００５０】
なお、制御部３１は、例えば図１に示す回路基板部３０に収容される。回路基板部３０は、換気吸込風路１９に対して気密性を保つように構成されると共に、浴室の空気が通る風路からは独立していることで、湿気等の影響を受けないようにしてある。
【００５１】
操作部３４は、例えば浴室空調装置１Ａ本体と独立したリモートコントロール装置である。
【００５２】
＜第１の実施の形態の浴室空調装置の設置工程例＞
図６は第１の実施の形態の浴室空調装置の設置工程例を示す構成図で、次に、各図を参照して第１の実施の形態の浴室空調装置１Ａの設置工程の一例について説明する。
【００５３】
まず、図６（ａ）に示すように、浴室５１の天井パネル５２に開口部５２ａを形成する。開口部５２ａは、浴室空調装置１Ａの本体ケース５Ａの大きさに合わせて形成される。
【００５４】
次に、天井パネル５２の上側に、開口部５２ａの位置に合わせて取付枠体４の枠部４ａを取り付ける。なお、枠部４ａは、例えば図示しないアンカーボルトで吊り下げる形態で取り付けても良いし、天井パネル５２の上面に取り付けて良い。
【００５５】
次に、図６（ｂ）に示すように、天井パネル５２上に取り付けた枠部４ａに、枠体取付部１１ａを嵌めてダクトジョイント３Ａを取り付けると共に、枠体取付部１１ｂを嵌めてダクトジョイント３Ｂを取り付ける。
【００５６】
天井パネル５２に形成する開口部５２ａは、上述したように、浴室空調装置１Ａの本体ケース５Ａの大きさに合わせてある。これに対して、ダクトジョイント３Ａ，３Ｂは、本体ケース５Ａの側面に取り付けられる形態である。
【００５７】
このため、ダクトジョイント３Ａ，３Ｂを枠部４ａと一体の構成とすると、取付枠体４のサイズが大型になり、設置作業が行いにくい。このため、ダクトジョイント３Ａ，３Ｂと、枠部４ａは別部品で構成し、枠部４ａを天井パネル５２上に設置してから、ダクトジョイント３Ａ，３Ｂを取り付けるようにしてある。
【００５８】
ここで、ダクトジョイント３Ａ，３Ｂは、図４に示す係合穴部４ｂ，４ｃに枠体取付部１１ａ，１１ｂを嵌めると、枠部４ａに対して立設した形態で取り付けられる。
【００５９】
次に、図６（ｃ）に示すように、枠部４ａにダクトジョイント３Ａ，３Ｂを取り付けた取付枠体４に、天井パネル５２の開口部５２ａから浴室空調装置１Ａの装置本体２Ａを挿入する。
【００６０】
図７は取付枠体４と装置本体２Ａの取付工程の詳細を示す要部拡大図である。上述したように、本体ケース５Ａは、排気口形成面７Ａ及び副吸込口形成面９Ａと、残りの２側面が、下側より上側が内側に入り込む方向に傾斜している。これにより、装置本体２Ａの取付枠体４に対する挿入方向に対して、本体ケース５Ａは先側が内側に入り込む方向に傾斜している。
【００６１】
また、シール部材１３ａ，１３ｂは、本体ケース５Ａの傾斜に沿って傾斜しており、装置本体２Ａの取付枠体４に対する挿入方向に対して、手前側が外側に向いて傾斜している。
【００６２】
これにより、取付枠体４に装置本体２Ａを挿入する初期段階では、シール部材１３ａ，１３ｂと本体ケース５Ａとの間に隙間Ｇが形成される。
【００６３】
従って、装置本体２Ａの挿入方向手前に位置するシール部材１３ａ，１３ｂのエッジ部分Ｅと本体ケース５Ａの擦れが抑制される。また、取付枠体４に装置本体２Ａを矢印Ａ方向に更に挿入して行くと、シール部材１３ａ，１３ｂと本体ケース５Ａは擦れるが、擦れる距離は少なくなる。よって、シール部材１３ａ，１３ｂが剥がれる等の損傷を防ぐことができる。
【００６４】
図６（ｄ）に示すように、取付枠体４に対して所定の位置まで装置本体２Ａを挿入すると、ダクトジョイント３Ａのケース取付部１２ａが本体ケース５Ａに係合して、シール部材１３ａと本体ケース５Ａが密着する。
【００６５】
本例では、本体ケース５Ａの排気口形成面７Ａとシール部材１３ａの接合面は同じ方向に傾斜しているので、シール部材１３ａの全面が排気口形成面７Ａと密着しやすい構成であり、ダクトジョイント３Ａの接合部１０ａと本体ケース５Ａの排気口６との間の気密性が保たれる。
【００６６】
同様に、取付枠体４に対して所定の位置まで装置本体２Ａを挿入すると、ダクトジョイント３Ｂのケース取付部１２ｂが本体ケース５Ａに係合して、シール部材１３ｂと本体ケース５Ａが密着する。
【００６７】
本例では、本体ケース５Ａの副吸込口形成面９Ａとシール部材１３ｂの接合面は同じ方向に傾斜しているので、シール部材１３ｂの全面が副吸込口形成面９Ａと密着しやすい構成であり、ダクトジョイント３Ｂの接合部１０ｂと本体ケース５Ａの副吸込口８との間の気密性が保たれる。
【００６８】
最後に、装置本体２Ａを取付枠体４等に固定すると共に、フロントパネル２８を取り付けることで、浴室空調装置１Ａが浴室５１の天井パネル５２に設置される。
【００６９】
＜第１の実施の形態の浴室空調装置の設置例＞
図８は浴室空調装置の設置例を示すサニタリー空間の構成図である。浴室空調装置１Ａは、上述した設置工程により、サニタリー空間５３を構成する浴室５１の天井パネル５２に設置される。
【００７０】
浴室空調装置１Ａの装置本体２Ａと接続されたダクトジョイント３Ａには排気ダクト５４が接続される。排気ダクト５４は、建物の壁面等に設置される屋外グリル５４ａと接続され、屋外とつながっている。
【００７１】
また、装置本体２Ａと接続されたダクトジョイント３Ｂには吸込ダクト５５が接続される。吸込ダクト５５は、サニタリー空間を構成する洗面所５６の天井パネル５７に設置される副吸込グリル５５ａと接続される。
【００７２】
操作部３４は、例えば洗面所５６の壁面等に取り付けられ、装置本体２Ａとは電気ケーブル等で接続されている。
【００７３】
なお、浴室空調装置１Ａが設置される浴室５１としては、浴槽５１ａがされた構成を例にしているが、浴槽のないシャワー室等でも良い。
【００７４】
＜浴室空調装置の動作例＞
次に、第１の実施の形態の浴室空調装置１Ａの動作例について各図を参照して説明する。制御部３１は、操作部３４の換気モードボタンが押されると、換気運転モードを実行する。
【００７５】
換気運転モードでは、循環ファンモータ２４の回転は停止され、循環ファン２３は回転しない。また、換気運転モードでは、換気ファンモータ１７により換気ファン１６が回転駆動される。更に、シャッタモータ３２によりシャッタ２２が回動され、室内換気吸込口２０が開放される。
【００７６】
換気ファン１６が回転駆動され、室内換気吸込口２０が開放されると、フロントパネル２８の換気吸込グリル２８ａを介して、浴室５１の空気が吸い込まれる。室内換気吸込口２０から吸い込まれた空気は、室内換気吸込風路２１及び換気吸込風路１９を通り、換気ファン吸込口１８ａから換気ファンケース１８に吸い込まれる。
【００７７】
また、換気ファン１６が回転駆動されると、ダクトジョイント３Ｂに接続された吸込ダクト５５及び副吸込グリル５５ａを介して洗面所５６等の空気が副吸込口８から吸い込まれ、副吸込口８から吸い込まれた空気は、換気吸込風路１９を通り、換気ファン吸込口１８ａから換気ファンケース１８に吸い込まれる。
【００７８】
換気ファンケース１８に吸い込まれた空気は、換気吹出風路１８ｂを通り、排気口６から排気される。そして、排気口６から排気された空気は、ダクトジョイント３Ａに接続された排気ダクト５４及び屋外グリル５４ａから屋外へ排気される。
【００７９】
なお、浴室５１内の空気を屋外に排気することで、浴室ドア５８に設けた空気取入口５８ａから、洗面所５６等の空気が給気される。
【００８０】
これにより、換気運転モードを実行することで、浴室３２内の湯気や湿気を排気して結露等を抑制し、カビの発生を抑えることができる。
【００８１】
ここで、換気運転モードとしては、上述した浴室５１の換気を行う換気運転モードの他に、例えば２４時間換気運転モードがある。２４時間換気運転モードにおいては、住宅全体又は住宅の所定エリアの容積について所定の換気回数（例えば０．５回／時間）を満たすため、常時換気ファン１６が回転駆動されて住宅内の換気が行われる。
【００８２】
２４時間換気運転モードでは、住宅全体で換気される空気が所定の量を保つために、図示しない浴室の換気モードボタンが操作されて、上述したように浴室５１の換気を行う場合は、例えば室内換気吸込口２０のシャッタ２２の開度を広げることで、浴室５１内から吸い込まれる空気の量が増加する。これにより副吸込口８を介して吸い込まれる他室の空気の量は少なくなり、住宅全体で換気される空気は所定の量に保たれる。
【００８３】
また、副吸込口８と接続されたダクトジョイント３Ｂの風路開閉ダンパ２９の開度を狭くすることで、洗面所５６等の他室から吸い込まれる空気の量を少なくし、住宅全体で換気される空気が所定の量に保たれるようにしても良い。
【００８４】
これに対して、通常の２４時間換気運転時には、室内換気吸込口２０のシャッタ２２の開度を狭くし、浴室５１内から吸い込まれる空気の量を減少させて、洗面所５６等の他室からの空気の吸い込み量を増加させる。これにより、住宅全体で換気される空気の量が所定の量に保たれる。
【００８５】
なお、２４時間換気運転モードは、通常は連続運転されるが、断続運転されても良い。
【００８６】
本実施の形態の浴室空調装置１Ａによれば、ダクトジョイント３Ａ，３Ｂを備えた取付枠体４に装置本体２Ａを装着する際に、シール部材１３ａ，１３ｂが剥がれる等の損傷を防ぐことができるので、排気口６とダクトジョイント３Ａの接合部１０ａとの気密性及び副吸込口８とダクトジョイント３Ｂの接合部１０ｂとの気密性が保たれている。
【００８７】
従って、換気運転実行時に、空気が漏れることがなく、所期の換気性能を発揮することができる。
【００８８】
また、本実施の形態の浴室空調装置１Ａによれば、換気ユニット１４の換気ファン吸込口１８ａが上方を向いて配置されていることにより、２４時間換気運転モードにより常時換気運転を行っても、ファンの運転音が、浴室５１等の室内に漏れることを防ぐことができる。
【００８９】
次に、暖房運転モードについて説明する。制御部３１は、操作部３４の暖房モードボタンが押されると、暖房運転モードを実行する。暖房運転モードでは、換気ファンモータ１７の回転は停止され、換気ファン１６は回転しない。また、シャッタモータ３２によりシャッタ２２が回動され、室内換気吸込口２０が閉鎖される。
【００９０】
更に、暖房運転モードでは、循環ファンモータ２４により循環ファン２３が回転駆動されると共に、ヒータ２６が通電される。
【００９１】
循環ファンモータ２４により循環ファン２３が回転駆動されると、フロントパネル２８の循環吸込グリル２８ｂを介して、循環ファン吸込口２５ａから浴室５１の空気が吸い込まれる。循環ファン吸込口２５ａから吸い込まれた空気は、循環吹出風路２５ｂを通り、室内循環吹出口２７から、フロントパネル２８の循環吹出グリル２８ｃを介して浴室５１内に吹き出される。
【００９２】
ヒータ２６は、循環吹出風路２５ｂに配置されるので、ヒータ２６が通電され加熱された状態では、循環吹出風路２５ｂを通る空気が暖められて、循環吹出グリル２８ｃから吹き出す。
【００９３】
これにより、暖房運転モードを実行することで、浴室５１内の空気を循環させながら浴室５１内を暖房して、温度を上げることができる。
【００９４】
また、上述した暖房運転モードの例においては、換気ファン１６の回転は停止させたが、洗面所５６等の他室から空気を吸い込んで換気を行うために、暖房運転モード時に、室内換気吸込口２０を閉塞した状態で換気ファン１６を回転させて、換気運転を行っても良い。室内換気吸込口２０を閉塞することにより、浴室５１内の暖められた空気が浴室５１の外に逃げることを防ぐことができる。
【００９５】
次に、乾燥運転モードについて説明する。制御部３１は、操作部３４の乾燥モードボタンが押されると、乾燥運転モードを実行する。乾燥運転モードでは、換気ファンモータ１７により換気ファン１６が駆動される。また、シャッタモータ３２によりシャッタ２２が回動され、室内換気吸込口２０が開放される。
【００９６】
更に、乾燥運転モードでは、循環ファンモータ２４により循環ファン２３が回転駆動されると共に、ヒータ２６が通電される。
【００９７】
換気ファン１６が回転駆動され、室内換気吸込口２０が開放されると、フロントパネル２８の換気吸込グリル２８ａを介して、浴室５１の空気が吸い込まれる。室内換気吸込口２０から吸い込まれた空気は、室内換気吸込風路２１及び換気吸込風路１９を通り、換気ファン吸込口１８ａから換気ファンケース１８に吸い込まれる。
【００９８】
また、換気ファン１６が回転駆動されると、ダクトジョイント３Ｂに接続された吸込ダクト５５及び副吸込グリル５５ａを介して洗面所５６等の空気が副吸込口８から吸い込まれ、副吸込口８から吸い込まれた空気は、換気吸込風路１９を通り、換気ファン吸込口１８ａから換気ファンケース１８に吸い込まれる。
【００９９】
換気ファンケース１８に吸い込まれた空気は、換気吹出風路１８ｂを通り、排気口６から排気される。そして、排気口６から排気された空気は、ダクトジョイント３Ａに接続された排気ダクト５４及び屋外グリル５４ａから屋外へ排気される。
【０１００】
なお、浴室５１内の空気を屋外に排気することで、浴室ドア５８の空気取入口５８ａから、洗面所５６等の空気が給気される。
【０１０１】
循環ファンモータ２４により循環ファン２３が回転駆動されると、フロントパネル２８の循環吸込グリル２８ｂを介して、循環ファン吸込口２５ａから浴室５１の空気が吸い込まれる。循環ファン吸込口２５ａから吸い込まれた空気は、循環吹出風路２５ｂを通り、室内循環吹出口２７から、フロントパネル２８の循環吹出グリル２８ｃを介して浴室５１内に吹き出される。
【０１０２】
ヒータ２６は、循環吹出風路２５ｂに配置されるので、ヒータ２６が通電され加熱された状態では、循環吹出風路２５ｂを通る空気が暖められて、循環吹出グリル２８ｃから吹き出す。
【０１０３】
これにより、乾燥運転モードを実行することで、浴室５１内に温風を吹き出して、ランドリパイプ５１ｂに掛けられた洗濯物等を乾燥させることができる。また、浴室５１内の空気の一部は屋外に排気され、空気取入口５８ａから洗面所５６等の空気を取り込むことで、浴室５１内の換気が行われるので、湿気等を排出して、洗濯物の乾燥を促進することができる。
【０１０４】
次に、涼風運転モードについて説明する。制御部３１は、操作部３２の涼風モードボタンが押されると、涼風運転モードを実行する。涼風運転モードでは、換気ファンモータ１７により換気ファン１６が駆動される。また、シャッタモータ３２によりシャッタ２２が回動され、室内換気吸込口２０が開放される。
【０１０５】
更に、涼風運転モードでは、循環ファンモータ２４により循環ファン２３が回転駆動される。なお、涼風運転モードではヒータ２６に通電しない。
【０１０６】
換気ファン１６が回転駆動され、室内換気吸込口２０が開放されると、フロントパネル２８の換気吸込グリル２８ａを介して、浴室５１の空気が吸い込まれる。室内換気吸込口２０から吸い込まれた空気は、室内換気吸込風路２１及び換気吸込風路１９を通り、換気ファン吸込口１８ａから換気ファンケース１８に吸い込まれる。
【０１０７】
また、換気ファン１６が回転駆動されると、ダクトジョイント３Ｂに接続された吸込ダクト５５及び副吸込グリル５５を介して洗面所５６等の空気が副吸込口８から吸い込まれ、副吸込口８から吸い込まれた空気は、換気吸込風路１９を通り、換気ファン吸込口１８ａから換気ファンケース１８に吸い込まれる。
【０１０８】
換気ファンケース１８に吸い込まれた空気は、換気吹出風路１８ｂを通り、排気口６から排気される。そして、排気口６から排気された空気は、ダクトジョイント３Ａに接続された排気ダクト５４及び屋外グリル５４ａから屋外へ排気される。
【０１０９】
なお、浴室５１内の空気を屋外に排気することで、浴室ドア５８の空気取入口５８ａから、洗面所５６等の空気が給気される。
【０１１０】
循環ファンモータ２４により循環ファン２３が回転駆動されると、フロントパネル２８の循環吸込グリル２８ｂを介して、循環ファン吸込口２５ａから浴室５１の空気が吸い込まれる。循環ファン吸込口２５ａから吸い込まれた空気は、循環吹出風路２５ｂを通り、室内循環吹出口２７から、フロントパネル２８の循環吹出グリル２８ｃを介して浴室５１内に吹き出される。
【０１１１】
涼風運転モードでは、ヒータ２６に通電しないので、循環吹出グリル２８ｃからは浴室５１の温度に応じた空気が吹き出す。
【０１１２】
これにより、涼風運転モードを実行することで、浴室５１内の湿度の高い空気を排気し、浴室５１内の空気を循環させながら、浴室５１内の温度に応じた涼風が吹出され、浴室空調装置１Ａを夏場等に扇風機として使用することができる。
【０１１３】
また、涼風運転モードでは、換気ファン１６の回転を停止させると共に、室内換気吸込口２０を閉塞させ、換気運転を停止させても良い。
【０１１４】
＜他の実施の形態の浴室空調装置の構成例＞
図９は第２の実施の形態の浴室空調装置の一例を示す構成図である。第２の実施の形態の浴室空調装置１Ｂは、シール部材１３ｃの厚みを全面で略均一としたものである。
【０１１５】
第２の実施の形態の浴室空調装置１Ｂでは、装置本体２Ａを構成する本体ケース５Ａは、上述したように、排気口形成面７Ａ（副吸込口形成面９Ａ）が、下側より上側が内側に入り込む方向に傾斜している。
【０１１６】
これにより、装置本体２Ａの取付枠体４に対する挿入方向に対して、本体ケース５Ａは先側が内側に入り込む方向に傾斜している。
【０１１７】
よって、シール部材１３ｃの厚みを全面で略均一とした場合でも、取付枠体４に装置本体２Ａを挿入する初期段階では、シール部材１３ｃと本体ケース５Ａとの間に隙間Ｇが形成され、シール部材１３ｃが剥がれる等の損傷の発生を防ぐことができる。そして、シール部材１３ｃは、厚みが均一であるので、方向性が無く、貼り付け作業が容易となる。
【０１１８】
図１０は第３の実施の形態の浴室空調装置の一例を示す構成図である。第３の実施の形態の浴室空調装置１Ｃは、ダクトジョイント３Ｃ側を傾斜させたものである。
【０１１９】
すなわち、ダクトジョイント３Ｃは、接合部１０ｃが、下側より上側が内側に入り込む方向に傾斜している。なお、第３の実施の形態の浴室空調装置１Ｃでは、装置本体２Ｂを構成する本体ケース５Ｂの排気口形成面７Ｂ（副吸込口形成面９Ｂ）は、垂直な面でも良い。
【０１２０】
第３の実施の形態の浴室空調装置１Ｃでは、ダクトジョイント３Ｃの接合面１０ｃが、装置本体２Ｂの取付枠体４に対する挿入方向に対して、手前側が外側に広がって傾斜していることになる。
【０１２１】
これにより、接合面１０ｃに貼り付けられたシール部材１３ｃも同じ方向に傾斜しているので、取付枠体４に装置本体２Ｂを挿入する初期段階では、シール部材１３ｃと本体ケース５Ｂとの間に隙間Ｇが形成され、シール部材１３ｃが剥がれる等の損傷の発生を防ぐことができる。
【０１２２】
図１１は第４の実施の形態の浴室空調装置の一例を示す構成図である。第４の実施の形態の浴室空調装置１Ｄは、装置本体２Ａの本体ケース５Ａと、ダクトジョイント３Ｃの双方を傾斜させたものである。
【０１２３】
すなわち、本体ケース５Ａは、排気口形成面７Ａ（副吸込口形成面９Ａ）が、下側より上側が内側に入り込む方向に傾斜している。また、ダクトジョイント３Ｃは、接合部１０ｃが、下側より上側が内側に入り込む方向に傾斜している。
【０１２４】
これにより、取付枠体４に装置本体２Ａを挿入する初期段階では、シール部材１３ｃと本体ケース５Ａとの間に隙間Ｇが形成され、シール部材１３ｃが剥がれる等の損傷の発生を防ぐことができる。
【０１２５】
また、本体ケース５Ａとシール部材１３ｃは同じ方向に傾斜しているので、シール部材１３ｃの全面が本体ケース５Ａと密着しやすい構成であり、ダクトジョイント３Ｃの接合部１０ｃと本体ケース５Ａの気密性が保たれる。
【０１２６】
なお、上述した各実施の形態では、ダクトジョイント３側にシール部材１３を貼り付ける構成としたが、本体ケース５側にシール部材１３を貼り付ける構成としても良い。
【０１２７】
ここで、上述した何れの実施の形態でも、本体ケース５Ａの側面の傾斜角度及びダクトジョイント３Ｃの傾斜角度は、先に示した角度に限定されるものではない。
【０１２８】
＜本実施の形態の浴室空調装置の応用例＞
図１２は第１の実施の形態の浴室空調装置の応用例を示す説明図である。浴室空調装置１Ａの装置本体２Ａを構成する本体ケース５Ａは、上述したように、排気口形成面７Ａ及び副吸込口形成面９Ａを含む４側面が、下側より上側が内側に入り込む方向に傾斜している。
【０１２９】
これにより、本体ケース５Ａが単体の状態では、図１２に示すように、上側に位置する本体ケース５Ａの内部に、下側に位置する本体ケース５Ａが入り込む形態で積層することが可能となる。
【０１３０】
従って、浴室空調装置１Ａの製造工程中における輸送時や保管時には、複数台の本体ケース５Ａを積層することで、積層高さを抑えることができるので、輸送や保管のコストを低減することができる。
【産業上の利用可能性】
【０１３１】
本発明は、浴室の空調を行う浴室空調装置に適用される。
【図面の簡単な説明】
【０１３２】
【図１】第１の実施の形態の浴室空調装置の側断面図である。
【図２】第１の実施の形態の浴室空調装置の側断面図である。
【図３】第１の実施の形態の浴室空調装置の分解斜視図である。
【図４】ダクトジョイントの要部構成を示す断面図である。
【図５】浴室空調装置の制御機能の一例を示すブロック図である。
【図６】第１の実施の形態の浴室空調装置の設置工程例を示す構成図である。
【図７】取付枠体と装置本体の取付工程の詳細を示す要部拡大図である。
【図８】浴室空調装置の設置例を示すサニタリー空間の構成図である。
【図９】第２の実施の形態の浴室空調装置の一例を示す構成図である。
【図１０】第３の実施の形態の浴室空調装置の一例を示す構成図である。
【図１１】第４の実施の形態の浴室空調装置の一例を示す構成図である。
【図１２】第１の実施の形態の浴室空調装置の応用例を示す説明図である。
【符号の説明】
【０１３３】
１・・・浴室空調装置、２・・・装置本体、３・・・ダクトジョイント、４・・・取付枠体、４ａ・・・枠部、５・・・本体ケース、６・・・排気口、７Ａ・・・排気口形成面、８・・・副吸込口、９・・・副吸込口形成面、１０ａ，１０ｂ・・・接合部、１１ａ，１１ｂ・・・枠体取付部、１２ａ，１２ｂ・・・ケース取付部、１３ａ，１３ｂ・・・シール部材、１４・・・換気ユニット、１５・・・循環ユニット、１６・・・換気ファン、１７・・・換気ファンモータ、１８・・・換気ファンケース、１９・・・換気吸込風路、２０・・・室内換気吸込口、２１・・・室内換気吸込風路、２２・・・シャッタ、２３・・・循環ファン、２４・・・循環ファンモータ、２５・・・循環ファンケース、２６・・・ヒータ、２７・・・室内循環吹出口、２８・・  ・フロントパネル、２９・・・風路開閉ダンパ、３０・・・回路基板部、３１・・・制御部、３２・・・シャッタモータ、３３・・・ダンパモータ、３４・・・操作部
【図１】
2007040549.tif 000003
【図２】
2007040549.tif 000004
【図３】
2007040549.tif 000005
【図４】
2007040549.tif 000006
【図５】
2007040549.tif 000007
【図６】
2007040549.tif 000008
【図７】
2007040549.tif 000009
【図８】
2007040549.tif 000010
【図９】
2007040549.tif 000011
【図１０】
2007040549.tif 000012
【図１１】
2007040549.tif 000013
【図１２】
2007040549.tif 000014